(57)【特許請求の範囲】
【請求項１】
ライトガイドファイババンドルの入射端が配置されたコネクタを、上記ライトガイドファイババンドルに入射させる照明光線束を放射するための光源が内蔵された光源装置に着脱するようにした内視鏡の照明装置において、
上記コネクタ内において上記ライトガイドファイババンドルを分岐して、一方の射出端は内視鏡の挿入部先端に配置すると共に、他方の射出端は他のライトガイドに接続できるように配置し、上記ライトガイドファイババンドルの入射端部分においては、上記コネクタ内で分岐された一方と他方の二つのライトガイドファイババンドルの入射端を、同じ一まとまりの入射端中において各々のファイバが全体に均等に分散配置された状態に一体的に結束したことを特徴とする内視鏡の照明装置。
【発明の詳細な説明】
【０００１】
【産業上の利用分野】
この発明は、照明用ライトガイドファイババンドルの入射端を光源装置に着脱するようにした内視鏡の照明装置に関する。
【０００２】
【従来の技術】
いわゆる親子式内視鏡は、マザースコープのチャンネル内にベビースコープを挿通して使用され、マザースコープとベビースコープとを同時に観察できる状態にしておく必要がある。したがって、マザースコープとベビースコープの両方の照明用ライトガイドファイババンドルに対して、照明光を同時に供給する必要がある。
【０００３】
そのためには二つの光源装置を使用すればよいが、それでは経済的負担が増すだけでなく、術者の周囲のスペースが狭まって内視鏡の操作を著しくやりにくいものにしてしまう。
【０００４】
そこで従来は、例えば実公昭５７−２０１６５号に示されるように、マザースコープのライトガイドファイババンドルの入射端をドーナツ状の孔あき断面に形成して、その中にベビースコープのライトガイドファイババンドルの入射端を挿脱するようにしていた。
【０００５】
【発明が解決しようとする課題】
しかし、ライトガイドファイババンドルの入射端をドーナツ状断面に形成すると、そのライトガイドファイババンドルには光源から放射された照明光線束の中心付近の光線が入射せず、逆にもう一方のライトガイドファイババンドルには中心付近の光線しか入射しない。
【０００６】
しかも、ドーナツ状断面のライトガイドファイババンドルの中に他方のライトガイドファイババンドルを挿脱できるように構成するためには、両ライトガイドファイババンドルの入射端部に各々口金を設ける必要があるので、ドーナツ状ライトガイドファイババンドルは内径が相当に太くなってしまい、照明光線束の中心から遠く離れた周辺部の光線しか入射しない。
【０００７】
そのため、両ライトガイドファイババンドルに入射する照明光は分光特性及び配光特性が大幅に相違してしまい、その結果、色むらや配光むらが発生してしまう。特に、周辺光のみしか入射しないドーナツ状断面のライトガイドファイババンドル側の照明光は、色、配光ともに質の悪いものになってしまう。
【０００８】
そこで本発明は、一つの光源から二つのライトガイドファイババンドルに対して、分光特性及び配光特性共に良好な照明光を入射させることができる内視鏡の照明装置を提供することを目的とする。
【０００９】
【課題を解決するための手段】
上記の目的を達成するため、本発明の内視鏡の照明装置は、ライトガイドファイババンドルの入射端が配置されたコネクタを、上記ライトガイドファイババンドルに入射させる照明光線束を放射するための光源が内蔵された光源装置に着脱するようにした内視鏡の照明装置において、上記コネクタ内において上記ライトガイドファイババンドルを分岐して、一方の射出端は内視鏡の挿入部先端に配置すると共に、他方の射出端は他のライトガイドに接続できるように配置し、上記光源から放射される照明光線束の中心部の光線と周辺部の光線の入射比率が上記分岐された双方のライトガイドファイババンドル間において大差のないように上記ライトガイドファイババンドルの入射端を一体的に結束したことを特徴とする。
【００１０】
【実施例】
図面を参照して実施例を説明する。
図１は、第１の実施例の全体的構成を示しており、１０はマザースコープ、３０はベビースコープ、５０は光源装置である。
【００１１】
マザースコープ１０及びベビースコープ３０共に、観察窓と照明窓などが設けられた先端部本体１１，３１が、可撓性のある挿入部１２，３２の先端に連結されており、挿入部１２，３２の基端側には各々操作部１３，３３が連結されていて、その操作部１３，３３に接眼部１４，３４が突設されている。
【００１２】
そして、図１に示されるようにベビースコープ３０の挿入部３２がマザースコープ１０の挿通チャンネル内に通され、ベビースコープ３０の先端部本体３１がマザースコープ１０の先端部本体１１の前方に突き出されて使用される。
【００１３】
マザースコープ１０の操作部１３には、挿入部１２の先端に形成された湾曲部１５を湾曲操作するための湾曲操作ノブ１６や送気送水操作ボタン１７、吸引ボタン１８等が設けられている。また、ベビースコープ３０の操作部３３には、挿入部３２の先端に形成された湾曲部３５を湾曲操作するための湾曲操作レバー３６が設けられている。
【００１４】
光源装置５０内には、マザースコープ１０とベビースコープ３０に供給する照明光線束を放射するための光源ランプ５１が内蔵されており、光源装置５０に対して着脱自在に接続されるコネクタ６０には、光源装置５０に接続されたときに光源ランプ５１から放射される照明光の収束位置に入射端面が位置するようにライトガイドファイババンドル６１が配置されている。
【００１５】
ライトガイドファイババンドル６１はコネクタ６０内で二つに分岐されていて、その一方のライトガイドファイババンドル６１ａはマザースコープ１０の照明用ライトガイドファイババンドルそのものであり、マザースコープ１０の操作部１３に連結された連結可撓管１９内を通って、射出端は先端部本体１１の照明窓に達している。
【００１６】
コネクタ６０内で分岐されたもう一方のライトガイドファイババンドル６１ｂの射出端は、コネクタ６０の側面部に設けられた分岐接続コネクタ６２の中央部に、外方に向けて配置されている。
【００１７】
分岐接続コネクタ６２には、ベビースコープ３０の照明用ライトガイドファイババンドル６１ｃの入射端が着脱自在に接続される。ベビースコープ３０の照明用ライトガイドファイババンドル６１ｃの射出端はその先端部本体３１の照明窓に達している。
【００１８】
したがって、光源ランプ５１からライトガイドファイババンドル６１に入射した照明光線束は、マザースコープ１０の照明用ライトガイドファイババンドル６１ａを通ってマザースコープ１０の観察範囲を照明すると同時に、分岐されたライトガイドファイババンドル６１ｂからベビースコープ３０の照明用ライトガイドファイババンドル６１ｃを通ってベビースコープ３０の観察範囲を照明する。
【００１９】
図２はコネクタ６０を示しており、光源ランプ５１から照明光が入射されるライトガイドファイババンドル６１は、コネクタ６０から前方に突出して光源装置５０内に達する挿入筒６４内に通されて、その内部に固着されている。
【００２０】
言い換えると、マザースコープ１０の照明用ライトガイドファイババンドル６１ａと分岐接続コネクタ６２側に分岐されているライトガイドファイババンドル６１ｂとが、挿入筒６４内で一体的に結束固着されている。
【００２１】
したがって、ライトガイドファイババンドル６１の入射端面の面積はライトガイドファイバのみを結束したものの断面積であり、内部に口金等が介在しないので無用に大きくならない。なお、挿入筒６４の突端には、集光用レンズ等を取り付けてもよい。
【００２２】
そのようなライトガイドファイババンドル６１の入射端面は、挿入筒６４を光源装置５０に差し込むことによって、光源ランプ５１から放射された照明光線束の収束位置にセットされる。
【００２３】
５２は、光源装置５０内に差し込まれた挿入筒６４を押さえるための、断面がＣ字状のクリックバネ。６２ａは、ベビースコープ３０の照明用ライトガイドファイババンドル６１ｃの接続口金を螺合させるためのねじ部である。
【００２４】
図３はライトガイドファイババンドル６１の入射端面を略示しており、分かり易くするために、マザースコープ１０の照明用ライトガイドファイババンドル６１ａのファイバを白丸で表示し、分岐接続コネクタ６２側に分岐されるライトガイドファイババンドル６１ｂのファイバを黒丸で表示してある。
【００２５】
このように、ライトガイドファイババンドル６１の入射端面においては、マザースコープ１０の照明用ライトガイドファイババンドル６１ａのファイバと分岐接続コネクタ６２側に分岐されるライトガイドファイババンドル６１ｂのファイバとが、全体にほぼ均等に分散して配置されている。
【００２６】
したがって、マザースコープ１０の照明用ライトガイドファイババンドル６１ａに供給される照明光と分岐されたライトガイドファイババンドル６１ｂを介してベビースコープ３０の照明用ライトガイドファイババンドル６１ｃに供給される照明光とでは、光源ランプ５１から放射された照明光線束の中心部の光線と周辺部の光線との比に差がなく、したがって分光特性および配光特性に差が生じない。
【００２７】
なお、ライトガイドファイババンドル６１の入射端面は、例えば図４に示されるように、白丸で示されるマザースコープ１０の照明用ライトガイドファイババンドル６１ａのファイバと、黒丸で示される分岐接続コネクタ６２側に分岐されるライトガイドファイババンドル６１ｂのファイバとを扇状に仕切って配置しても、両ファイババンドル６１ａ，６１ｂ間で中心光と周辺光の入射比率に差は生じない。
【００２８】
要するに本発明においては、中心部の光線と周辺部の光線の入射比率に大きな差が生じなければよいから、ライトガイドファイババンドル６１の入射端面のファイバ配列はその他の態様でもよい。大きな差とは、例えば比率に２倍以上の差のあることである。
【００２９】
図５は、本発明の第２の実施例を示しており、ベビースコープ３０の照明用ライトガイドファイババンドル６１ｃを挿入筒６４内に直結して、マザースコープ１０の照明用ライトガイドファイババンドル６１ａを分岐接続コネクタ６２に対して着脱自在に接続するようにしたものである。その他は第１の実施例と同じである。
【００３０】
図６は、本発明の第３の実施例を示しており、マザースコープ１０の照明用ライトガイドファイババンドル６１ａは第１の実施例と同じように挿入筒６４内に直結すると共に、分岐されたライトガイドファイババンドル６１ｂをコネクタ６０外に長く延ばして、その先端に分岐接続コネクタ６２を設けたものである。
【００３１】
したがって、ベビースコープ３０のライトガイドファイババンドル６１ｃの入射端は操作部３３に設けることができる。また、分岐接続コネクタ６２を補助光源として利用して、暗室に近い内視鏡検査室内などでのライト代わり等に使用することもできる。
【００３２】
【発明の効果】
本発明によれば、一つの光源装置で二つの内視鏡に照明光を同時に供給することができるので、親子式内視鏡等を使用する場合に経済性が高くて内視鏡の操作性上も優れているだけでなく、光源から放射された照明光線束の中心部対周辺部の入射比率が二つのライトガイドファイババンドル間において差がないので、両ライトガイドファイババンドルに対して分光特性及び配光特性共に良好な照明光を供給することができる。
【図面の簡単な説明】
【図１】第１の実施例の全体構成の略示図である。
【図２】第１の実施例のコネクタの断面略示図である。
【図３】第１の実施例のライトガイドファイババンドルの入射端面の一例の略示図である。
【図４】第１の実施例のライトガイドファイババンドルの入射端面の他の例の略示図である。
【図５】第２の実施例の全体構成の略示図である。
【図６】第３の実施例の全体構成の略示図である。
【符号の説明】
５０  光源装置
５１  光源ランプ
６０  コネクタ
６１  ライトガイドファイババンドル
６１ａ  マザースコープの照明用ライトガイドファイババンドル
６１ｂ  分岐されたライトガイドファイババンドル
６１ｃ  ベビースコープ用の照明用ライトガイドファイババンドル
６２  分岐接続コネクタ
【図１】
0003782476.tif 000002
【図２】
0003782476.tif 000003
【図３】
0003782476.tif 000004
【図４】
0003782476.tif 000005
【図５】
0003782476.tif 000006
【図６】
0003782476.tif 000007